(57)【特許請求の範囲】
【請求項１】
ａ）第１タイプの第１永久識別子を受信するステップと、
ｂ）受信した第１タイプの第１永久識別子が、前に送信した第１タイプの永久識別子と一致するかどうかを判断するステップと、
ｃ）前記ステップｂ）で一致すると判断した場合、データおよびホームシステムへのルーティング情報を含む、第１タイプの第２永久識別子を形成するステップと、
ｄ）通信デバイスから、少なくとも、第１タイプの第２永久識別子と、第２タイプの永久識別子とを送信するステップとを有することを特徴とする、移動通信システムにおけるデータの転送方法。
【請求項２】
前記ステップａ）の前に、
ｅ）ホームシステムへのルーティング情報とダミーデータとを含む、第１タイプの初期永久識別子を送信するステップと、
ｆ）前記初期永久識別子を記憶するステップとをさらに有することを特徴とする請求項１に記載の方法。
【請求項３】
前記ステップａ）の前に、
ｅ）ホームシステムへのルーティング情報とコードデータとを含む、第１タイプの初期永久識別子を送信するステップと、
ｆ）前記初期永久識別子を記憶するステップとをさらに有し、
前記コードデータは、第１タイプの初期永久識別子が前記通信デバイスからの最初の通信であることを識別することを特徴とする請求項１に記載の方法。
【請求項４】
ｅ）第１タイプの第２永久識別子を記憶するステップをさらに有することを特徴とする請求項１に記載の方法。
【請求項５】
第１タイプの第２永久識別子に含まれるデータは、前記通信デバイスのユーザからのものであることを特徴とする請求項１に記載の方法。
【請求項６】
第１タイプの第２永久識別子に含まれるデータは、前記通信デバイスに含まれる、または、前記通信デバイスに接続された、エンドユーザシステムからのものであることを特徴とする請求項１に記載の方法。
【請求項７】
前記通信デバイスは移動局であることを特徴とする請求項１に記載の方法。
【請求項８】
前記ルーティング情報は、移動体国コードおよび移動体ネットワークコードを含むことを特徴とする請求項７に記載の方法。
【請求項９】
第２タイプの永久識別子は、移動局の電子シリアル番号であることを特徴とする請求項７に記載の方法。
【請求項１０】
第２タイプの永久識別子は、前記通信デバイスの少なくとも一部に関連づけられることを特徴とする請求項１に記載の方法。
【請求項１１】
前記ルーティング情報は、移動体国コードおよび移動体ネットワークコードを含むことを特徴とする請求項７に記載の方法。
【請求項１２】
前記通信デバイスは、ワイヤレス通信システムの一部を形成することを特徴とする請求項１に記載の方法。
【請求項１３】
前記通信デバイスは、有線通信システムの一部を形成することを特徴とする請求項１に記載の方法。
【請求項１４】
前記ステップｃ）は、第１タイプの第２永久識別子をどのデスティネーションエンティティへルーティングするかを示すデスティネーションエンティティルーティング情報をさらに含むように第１タイプの第２永久識別子を形成することを特徴とする請求項１に記載の方法。
【請求項１５】
ａ）通信デバイスから、少なくとも、ホームシステムへのルーティング情報およびデータを含む第１タイプの永久識別子と、第２タイプの永久識別子とを受信するステップと、
ｂ）受信した第１タイプの永久識別子を前記通信デバイスへ送信するステップとを有することを特徴とする、データ転送を要求する方法。
【請求項１６】
前記ステップｂ）は、前記通信デバイスが第１タイプの永久識別子を再送することを求める要求とともに、前記受信した第１タイプの永久識別子を送信することを特徴とする請求項１５に記載の方法。
【請求項１７】
前記ステップｂ）の前に、
ｃ）前記受信した第１タイプの永久識別子を記憶するステップをさらに有することを特徴とする請求項１５に記載の方法。
【請求項１８】
前記ステップｂ）は、前記通信デバイスに対して、最近に記憶された受信した第１タイプの永久識別子を周期的に送信することを特徴とする請求項１７に記載の方法。
【請求項１９】
前記ステップｂ）は、イベントに応答して、前記受信した第１タイプの永久識別子を送信することを特徴とする請求項１５に記載の方法。
【請求項２０】
前記データはダミーデータであることを特徴とする請求項１５に記載の方法。
【請求項２１】
前記データは、前記受信した第１タイプの永久識別子が最初に送信された第１タイプの永久識別子であることを識別する所定のコードであることを特徴とする請求項１５に記載の方法。
【請求項２２】
受信した第２タイプの永久識別子は、前記通信デバイスの電子シリアル番号であることを特徴とする請求項１５に記載の方法。
【請求項２３】
受信した第２タイプの永久識別子は、前記通信デバイスの少なくとも一部に関連づけられることを特徴とする請求項１５に記載の方法。
【請求項２４】
前記ルーティング情報は、前記受信した第１タイプの永久識別子をどのデスティネーションエンティティへルーティングするかを示すデスティネーションエンティティルーティング情報を含み、
前記ステップｂ）は、前記デスティネーションエンティティからの命令のもとに、前記受信した第１タイプの永久識別子を前記通信デバイスに送ることを特徴とする請求項１５に記載の方法。
【発明の詳細な説明】
【０００１】
【発明の属する技術分野】
本発明は、通信に関し、特に、永久識別子(permanent identifier)を用いた要求に応じてデータを転送する方法に関する。
【０００２】
【従来の技術】
図１に、移動性を備えた従来の通信システムの論理ブロック図を示す。この論理ブロック図は、加入者の移動性を備えた無線（ワイヤレス）または有線（陸上通信線）の通信システムを表す。図示のように、エンドユーザ２は、第１通信デバイス４、サービスシステム（ＳＳ）１２、ネットワーク１４、ホームシステム（ＨＳ）１６、および第２通信デバイス８を通じて、デスティネーションエンティティ６と通信する。エンドユーザ２は、デスティネーションエンティティ６（人間、システムまたはマシン）への通信のための情報を生成するエンティティ（同じく人間、システムまたはマシン）を表す。
【０００３】
第１通信デバイス４は、サービスシステム１２とインタフェースするデバイスを表す。例えば、ワイヤレス通信を例にとると、サービスシステム１２は、通信デバイス４が位置するカバレジエリアにワイヤレス通信サービスを提供する任意の個数の基地局、移動交換センタ、認証センタなどを含む。ワイヤレス通信の例を続けると、ネットワーク１４は、公衆交換電話網（ＰＳＴＮ）、公衆パケット網あるいは私設パケット網のような公衆または私設通信ネットワークを表し、ホームシステム１６は、移動局（すなわち、通信デバイス４）のユーザが移動ワイヤレス通信サービスの提供を受ける契約を結んでいるワイヤレス通信サービスプロバイダを表す。従って、ホームシステム１６は、サービスシステム１２と同様、カバレジエリアに移動ワイヤレス通信サービスを提供する任意の個数の基地局、移動交換センタ、認証センタなどを含む。個々の移動ワイヤレス通信サービスプロバイダは限定されたカバレジエリアを有するため、異なるカバレジエリアを有するサービスプロバイダどうしは、互いの顧客にサービスするためにローミング契約を結ぶ。この例では、第２通信デバイス８は、ホームシステム１６に対する移動局または有線コネクションである。あるいは、この例またはその他の実施例では、第２通信デバイス８は、ネットワーク１４のようなネットワークを通じてホームシステム１６に接続される。さらに別の例として、第２通信デバイス８は、ホームシステム１６の一部を形成することもある。
【０００４】
図１がどのように有線の移動通信システムを表しているかの例として、サービスシステム１２は、通信デバイス４が位置する地点の陸上通信線移動通信サービスプロバイダを表し、ネットワーク１４は、例えば、長距離陸上通信線キャリアを表し、ホームシステム１６は、エンドユーザ２が陸上通信線移動通信サービスを受ける契約を結んでいる別の陸上通信線移動通信サービスプロバイダを表す。その場合、第１通信デバイス４は、例えば、インテリジェント（プログラマブル）電話機を表す。インテリジェント電話機の一実施例によれば、エンドユーザ２は、プログラムされた集積回路カードをインテリジェント電話機に挿入し、インテリジェント電話機をエンドユーザのパーソナル電話機に変換する。つまり、プログラムされた集積回路カードは、インテリジェント電話機に、エンドユーザ２の加入者情報を提供し、サービスシステム１２へのこの情報の通信、および、サービスシステム１２とホームシステム１６の間の通信により、例えば、（１）エンドユーザ２への呼がインテリジェント電話機（すなわち、通信デバイス４）へルーティングされること、あるいは、（２）エンドユーザ２が、あたかも依然としてホームシステム１６によってサービスされるエリアにいるかのようにサービスシステム１２において発呼すること、を可能にする。
【０００５】
上記の有線およびワイヤレスの例は、図１によって表される多くの可能な移動通信システムの単なる２つの例である。
【０００６】
図１の論理ブロック図によって表される移動通信システムは、正当なユーザのみに通信サービスを提供し、そのサービスを提供したことに対する適当な料金を受け取ろうとするサービスシステム１２およびホームシステム１６に対してさまざまな課題を提示する。このため、各通信システムは、上記の目標が達成されるように、さまざまな異なる標準およびプロトコルを有している。
【０００７】
これらの標準により使用される最も一般的な技術は、エンドユーザ２に関連づけられたいくつかの永久識別子を利用することである。これらの識別子のうちの１つは、ホームシステム１６によって割り当てられ、以下、第１永久識別子という。第１永久識別子は２つの部分を有する。第１の部分は、ホームシステム１６へのルーティング情報を含み、これは、サービスシステム１２が通信すべきホームシステム１６を識別する。第１永久識別子の第２の部分は、エンドユーザ２をホームシステム１６に識別させ、しばしば識別番号ともいう。多くのワイヤレス通信標準は、第１永久識別子を移動局識別子（ＭＳＩＤ：mobile station identifier）という。
【０００８】
第１永久識別子の一例は、国際電気通信連合−電気通信標準化部門（ＩＴＵ−Ｔ）勧告Ｅ．２１２によって規定された国際移動局（または加入者）識別（ＩＭＳＩ：International Mobile Station (or Subscriber) Identification）である。ＩＭＳＩのフォーマットは次の通りである。
ＩＭＳＩ（最大１５桁）＝ＭＣＣ（３桁）＋ＭＮＣ（１〜３桁）＋ＭＳＩＮ（９〜１１桁）
【０００９】
移動体国コード（ＭＣＣ：mobile country code）は、ＩＭＳＩの最初の３桁であり、ホームシステム１６が位置する国を識別する。次の１〜３桁を形成する移動体ネットワークコード（ＭＮＣ：mobile network code）とともに、ＭＣＣは、ホームシステム１６を識別するホームシステムコードを形成する。米国内の通信標準は、このホームシステムコードを、ホームネットワーク識別子（ＨＮＩ：home network identifier）と呼んでいる。次の９〜１１桁は、ホームシステム１６によってエンドユーザ２にあらかじめ割り当てられる識別番号を形成する。
【００１０】
もう１つの永久ユーザ識別子（「第２永久識別子」ともいう）は、ホームシステム１６によって知られ、エンドユーザ２に関連づけられているが、必ずしもホームシステム１６によって割り当てられるわけではない。この識別子はまた、何らかの形で、第１通信デバイス４、または、エンドユーザ２によって使用されているその一部にも関連づけられる。移動ワイヤレス通信システムでは、この第２永久識別子は、例えば、第１通信デバイス４として作用する移動局の電子シリアル番号（ＥＳＮ：electronic serial number）である。上記のインテリジェント電話機の例のような有線移動通信システムでは、第２永久識別子は、例えば、プログラムされた集積回路カードのシリアル番号である。また、第２永久識別子は、例えば、サービス総合ディジタル網（ＩＳＤＮ）電話機の電話番号であることも可能である。
【００１１】
通常、ホームシステム１６は、エンドユーザ２のような各加入者ごとに第１および第２の永久識別子の対を記憶する。サービスシステム１２と通信する際に、通信デバイス４は、第１および第２の永久識別子をサービスシステム１２に送る。第１永久識別子内のルーティング情報に基づいて、サービスシステム１２は、ホームシステム１６と通信して、例えばエンドユーザ２を正当性検査(validate)することができる。エンドユーザ２を正当性検査するために、サービスシステム１２は、第１および第２の永久識別子の一方または両方をホームシステム１６に提供する。通常、ホームシステム１６は、これらの識別子のうちの一方のみを受け取った場合、サービスシステム１２に対して他方の識別子を要求する。
【００１２】
サービスシステム１２によって提供された第１および第２の永久識別子がいずれも、ホームシステム１６に記憶されている対応する第１および第２の永久識別子の対に一致した場合、ホームシステム１６は、エンドユーザ２を正当性検査したことになる。このプロセスは、エンドユーザ２を確認（課金のため）または認証（不正を防止するため）する手順の一部としても使用可能である。ワイヤレスの例において、この正当性検査プロセスは通常、ほとんどのワイヤレス通信標準に含まれる登録手順の一部として実行される。
【００１３】
正当性検査後、サービスシステム１２は、通信サービスをエンドユーザ２に提供する。例えば、ワイヤレスシステムでは、サービスシステム１２は、例えばエンドユーザ２による正しい移動局からの発呼要求を受信すると、、その移動局へのトラフィックチャネルを開設する。このトラフィックチャネルが開設されると、エンドユーザ２は、デスティネーションエンティティ６にデータを送信することができる。
【００１４】
【発明が解決しようとする課題】
しかし、エンドユーザが、トラフィックチャネルを要求し設定する長いプロセスを通じて利用可能であるよりも効率的にデータを送信することが必要とされている。
【００１５】
【課題を解決するための手段】
本発明によるデータを転送する方法は、データを、通信システムにおけるエンドユーザに関連づけられた第１タイプの永久識別子の一部として送信する。第１タイプの永久識別子は、通信システムにおいてトラフィックチャネルを設定する前の通信手順中に、同じくエンドユーザに関連づけられた第２タイプの永久識別子とともに送信される。データのほかに、第１タイプの永久識別子は、通信システムの一部を形成するホームシステムへのルーティング情報を含む。また、エンドユーザは、送信された第１タイプの永久識別子を記憶し、記憶されている第１タイプの永久識別子を通信中に受信したことに応答して、新たな第１タイプの永久識別子を生成する。
【００１６】
受信した第２タイプの永久識別子に基づいて、ホームシステムは、受信した第１タイプの永久識別子および受信した第２タイプの永久識別子に関連づけられたエンドユーザを認識することができる。少なくともこの認識に従って、ホームシステムは、少なくとも第１タイプの永久識別子をデスティネーションエンティティ（人間、システムまたはマシン）に送信する。デスティネーションエンティティは、第１タイプの永久識別子を記憶し、その中のデータを抽出する。デスティネーションエンティティは、エンドユーザにさらにデータを送信してもらおうとする場合、第１タイプの永久識別子をエンドユーザに送信する。このようにして、デスティネーションエンティティはデータの受信を制御する。
【００１７】
【発明の実施の形態】
本発明のデータの転送方法について、図１に示した従来の通信システムを用いて説明する。従って、図１に示した要素の説明は繰り返さない。
【００１８】
上記のように、図１により代表される多くの移動通信システムに関連づけられたさまざまな標準およびプロトコルは、第１永久識別子および第２永久識別子を使用する。データを送信するためには、通信デバイス４は、第１および第２の永久識別子の転送を要求する標準またはプロトコル内の手順を開始する。例えば、移動ワイヤレス通信システムでは、多くの標準は、移動局が、登録手順の一部として第１および第２の永久識別子を送信することを要求する。
【００１９】
しかし、通信デバイス４は、送信前に第１永久識別子を修正する。あるいは、エンドユーザ２が、通信デバイスに、修正された第１永久識別子を供給する。具体的には、第１永久識別子の第１部分は、ホームシステム１６へのルーティング情報を含むが、第２部分またはその一部（通常はホームシステム１６によりあらかじめ割り当てられたユーザ識別番号を含む）は、エンドユーザ２からのデータを含む。
【００２０】
第２永久識別子は不変のままである。そのため、第１永久識別子を可変識別子といい、第２永久識別子を固定識別子ということにする。
【００２１】
例えば、ＩＭＳＩが可変識別子であるとき、修正されたＩＭＳＩは次のフォーマットを有する。
ＩＭＳＩ（最大１５桁）＝ＭＣＣ（３桁）＋ＭＮＣ（１〜３桁）＋データ（９〜１１桁）
【００２２】
初期手順の一部として、サービスシステム１２は、ネットワーク１４を通じて、ホームシステム１６に可変および固定識別子を供給する。サービスシステム１２が、可変および固定識別子のうちの一方のみを供給した場合、ホームシステム１６は、他方の識別子を要求する。ホームシステム１６は、これらの可変および固定識別子を、記憶されている可変および固定識別子の対と比較する。ホームシステム１６は、受信した固定識別子と記憶されている固定識別子は一致するが、受信した可変識別子が、一致した記憶されている固定識別子に対応する記憶されている可変識別子と一致しないと判断した場合、受信した可変識別子がデータを格納していることを認識する。ホームシステム１６は、受信した可変識別子がデータを格納していることを認識した場合、第２通信デバイス８を通じて、受信した可変および固定識別子を、一致した記憶されている固定識別子に対応するデスティネーションエンティティ６に送る。また、ホームシステム１６は、サービスシステム１２のために、第１通信デバイス４の正当性検査をすることができない。その結果、サービスシステム１２は、第１通信デバイス４に対するサービスを拒否するという選択肢を有する。
【００２３】
受信した固定識別子に基づいて、デスティネーションエンティティ６は、エンドユーザ２から発信された、受信した固定および可変識別子を認識する。さらに、可変識別子はエンドユーザ２の可変識別子と一致しないため、デスティネーションエンティティ６は、可変識別子がデータを含むことを認識する。あるいは、ホームシステム１６から識別子を単に受信すると、可変識別子がデータを含むことを認識する。デスティネーションエンティティ６は、可変識別子がデータを含むことを認識すると、可変識別子の第２部分をデータとして抽出する。
【００２４】
当業者には認識されるように、本発明による方法によれば、エンドユーザ２は、トラフィックチャネルを要求し設定することを必要とせずに、デスティネーションエンティティにデータを転送することが可能となる。
【００２５】
前述のように、エンドユーザ２は、人間、システムまたはマシンであることが可能である。例えば、エンドユーザ２は、図２に示すようなエンドユーザシステムである。図２は、エンドユーザシステム１００の論理ブロック図である。図示のように、エンドユーザシステム１００は、第１の読み出し専用メモリ（ＲＯＭ）１０４および第１のランダムアクセスメモリ（ＲＡＭ）１０６に接続された第１の中央処理装置（ＣＰＵ）１０２を有する。第１ＣＰＵ１０２は、第１ＲＯＭ１０４に記憶された所定のプログラムに基づいて、受け取った入力に従って何らかの機能を実行する。中間および最終の処理結果は第１ＲＡＭ１０６に記憶される。第１ＲＯＭ１０４に記憶されたプログラミングに従って、第１ＣＰＵ１０２は、送信のために、通信デバイス２にデータを転送する。
【００２６】
当業者には認識されるように、エンドユーザシステム１００は、現金自動預入支払機（ＡＴＭ）、検知または測定装置（例えば、ガスまたは電力メータ）、自動販売機、輸送手段（ビークル）、自律的ビークル、ロボット、警報システム、環境または気象追跡システムなどのような、人間からまたはセンサからのように何らかの方法で入力を受け取る複数のエンドユーザシステムのいずれとすることも可能である。その結果、エンドユーザシステム１００は、その機能の処理中に蓄積されたデータを、遠隔に位置する関連するデスティネーションエンティティ６に転送する必要がある。
【００２７】
さらに具体的な例として、エンドユーザシステム１００は、ビークルが移動した距離を測定しビークルの位置を検出するビークル追跡装置であることが可能である。第１通信デバイス４、サービスシステム１２、ネットワーク１４、ホームシステム１６および第２通信システム８により、エンドユーザシステム１００は、本発明の方法により、距離および位置に関するデータをデスティネーションエンティティ６に転送する。
【００２８】
代替実施例では、第１通信デバイス４はエンドユーザシステム１００の一部を形成し、または、エンドユーザシステム１００は、第１通信デバイス４の一部を形成する。可能な移動ワイヤレス通信システムでは、第１通信デバイス４は移動局であり、この移動局がエンドユーザシステム１００の一部を形成する。
【００２９】
また、前述のように、デスティネーションエンティティ６は、人間、システムまたはマシンであることが可能である。例えば、デスティネーションエンティティ６は、図３に示す処理システム１１０である。図示のように、処理システム１１０は、第２ＲＯＭ１１４および第２ＲＡＭ１１６に接続された第２ＣＰＵ１１２を有する。第２ＣＰＵ１１２は、第２ＲＯＭ１１４に記憶された所定のプログラムに従って処理機能を実行し、中間および最終の処理結果を第２ＲＡＭ１１６に記憶する。
【００３０】
ビークル（車両）追跡の例を続けると、処理システム１１０は、エンドユーザシステム１００から転送されてきたデータを抽出し、抽出したデータを用いて、例えば、顧客に適当な課金を行う、輸送会社の処理システムである。
【００３１】
代替実施例として、第２通信デバイス８はデスティネーションエンティティ６の一部を形成することも可能であり、また、デスティネーションエンティティ６は第２通信デバイス８の一部を形成することも可能である。
【００３２】
さらに、ホームシステム１６は、通信ライン（例えば、光ファイバ、ケーブルなど）を通じて直接にデスティネーションエンティティ６と通信し、これにより第２通信デバイス８を省略することも可能である。また、第２通信デバイス８は、デスティネーションエンティティ６がホームシステム１６の一部を形成し、または、ホームシステム１６がデスティネーションエンティティ６の一部を形成するような代替実施例でも、省略することが可能である。
【００３３】
さらに別の実施例として、好ましくは、デスティネーションエンティティ６がホームシステム１６の一部を形成し、または、ホームシステム１６がデスティネーションエンティティ６の一部を形成するような実施例の一部として、ホームシステム１６は、可変識別子を記憶しない。その代わりに、ホームシステム１６は、通信サービスが提供されるようにエンドユーザ２の正当性検査をすることがない。ホームシステム１６は、エンドユーザ２からデータを受信することのみを行う。この場合、ホームシステム１６は、記憶されている固定識別子に一致するサービスシステム１２から固定識別子を受信すると、可変および固定識別子をデスティネーションエンティティ６に送る。
【００３４】
図４に、本発明による移動通信システムのもう１つの論理ブロック図を示す。図４の実施例は、図１に示したものと同様であるが、（１）ホームシステム１６に接続された第３〜第Ｍ通信デバイス８−１，...，８−Ｍ、および、（２）第３〜第Ｍ通信デバイス８−１，...，８−Ｍに接続された第２〜第Ｎデスティネーションエンティティ６−１，...，６−Ｎ、が追加されている点が異なる。
【００３５】
この実施例では、ホームシステム１６は、複数のデスティネーションエンティティ６−１，...，６−Ｎをサポートする。ホームシステム１６は、第１〜第Ｎデスティネーションエンティティ６，６−１，...，６−Ｎのそれぞれに対する一意的なアドレスを記憶する。そこで、第１〜第Ｎデスティネーションエンティティ６，６−１，...，６−Ｎのうちの１つに正しくデータを送るため、エンドユーザ２または通信デバイス４は、可変識別子の第２部分の所定部分が、目的とする受け手のデスティネーションエンティティの一意的なアドレスを含むように、可変識別子の第２部分を作成する。可変識別子の第２部分の残りの部分は、データを送るために利用可能である。
【００３６】
例えば、１０個以下のデスティネーションエンティティがホームシステム１６によってサポートされ、１桁でデスティネーションエンティティを一意的に識別することができると仮定する。また、この例の目的では、可変識別子はＩＭＳＩであると仮定する。その場合、修正されたＩＭＳＩ発議のフォーマットを有することが可能である。
ＩＭＳＩ（最大１５桁）＝ＭＣＣ（３桁）＋ＭＮＣ（１〜３桁）＋一意的デスティネーションエンティティ識別子（アドレス）（１桁）＋データ（８〜１０桁）
【００３７】
この例では、一意的デスティネーションエンティティ識別子は、可変識別子の第２部分の最初の部分を形成するとして示しているが、一意的デスティネーションエンティティ識別子は、可変識別子の第２部分の任意の部分を形成することが可能である。
【００３８】
受信した固定識別子がホームシステム１６に記憶されている固定識別子と一致する場合に、受信した固定および可変識別子の対を処理するとき、ホームシステム１６は、可変識別子の第２部分の所定部分にあるデスティネーションエンティティ識別子を取得する。その後、ホームシステム１６は、そのデスティネーションエンティティ識別子によって識別されるデスティネーションエンティティ６，６−１，...，６−Ｎに、固定および可変識別子を送る。
【００３９】
代替実施例として、通信デバイス８，８−１，...，８−Ｍは、デスティネーションエンティティ６，６−１，...，６−Ｎの一部を形成することも可能であり、また、デスティネーションエンティティ６，６−１，...，６−Ｎは、通信デバイス８，８−１，...，８−Ｍの一部を形成することも可能である。
【００４０】
さらに、ホームシステム１６は、通信ライン（例えば、光ファイバ、ケーブルなど）を通じて直接にデスティネーションエンティティ６，６−１，...，６−Ｎと通信し、これにより通信デバイス８，８−１，...，８−Ｍのうちの１つ以上を省略することも可能である。また、通信デバイス８，８−１，...，８−Ｍは、デスティネーションエンティティ６，６−１，...，６−Ｎがホームシステム１６の一部を形成するような代替実施例でも、省略することが可能である。
【００４１】
本発明のもう１つの動作実施例を図１に関して説明する。この動作実施例によれば、デスティネーションエンティティ６は、エンドユーザ２に対してデータの送信を要求することが可能である。エンドユーザ２および通信デバイス４が起動すると、通信デバイス４は、エンドユーザ２の制御下で初期可変識別子および固定識別子を送信する。この可変識別子は、前述のようなデータを含むことが可能である。代替例として、可変識別子は、ダミーデータ（すなわち、偽のデータとして識別可能なデータ）を含む。さらに別の代替例として、可変識別子は、データとして所定のコードを含む。この所定コードは、この可変識別子が最初に送信される可変識別子であることを識別する。また、エンドユーザ２は、送信された可変識別子を記憶する。
【００４２】
前述のようにして、可変識別子および固定識別子はデスティネーションエンティティ６に送られ、デスティネーションエンティティ６は、可変識別子内のデータを抽出する。データがダミーデータまたは所定コードとして認識された場合、デスティネーションエンティティ６は、この可変識別子を、エンドユーザ２から最初に送信された可変識別子であるとして認識する。
【００４３】
デスティネーションエンティティ６もまた、可変識別子を記憶する。デスティネーションエンティティ６は、エンドユーザ２にデータの送信を要求する場合、第２通信デバイス８に対して、デスティネーションエンティティ６に記憶されている可変識別子を、可変識別子の再送要求とともにエンドユーザ２へ送信するよう命令する。例えば、通信デバイス４が移動局であるようなワイヤレスシステムでは、可変識別子の再送要求は、移動局が再登録するためにホームシステム１６によって送信される要求である。
【００４４】
エンドユーザ２は、可変識別子の再送要求を受信すると、この要求とともに受信した可変識別子が、エンドユーザ２に記憶されている可変識別子と一致するかどうかを判断する。一致していると判断した場合、エンドユーザ２は、前述のように新たな可変識別子を生成し、この新たな可変識別子と、固定識別子を、デスティネーションエンティティ６に送る。
【００４５】
次に、エンドユーザ２は、好ましくは、必要なメモリ容量を縮小するために前に記憶した可変識別子を置き換えて、新たな可変識別子を保存する。デスティネーションエンティティ６は、新たな可変識別子を受信すると、同様に、好ましくはデスティネーションエンティティに前に記憶した可変識別子を置き換えて、新たな可変識別子を保存する。
【００４６】
次にデスティネーションエンティティ６がデータを要求したいときには、新たに記憶された可変識別子がその要求とともに送信されることになる。その後、動作はこのようにして繰り返される。こうして、デスティネーションエンティティ６は、イベントごとに、または、周期的に、エンドユーザ２に対してデータの送信を要求することが可能となる。つまり、デスティネーションエンティティ６におけるオペレータの入力のようなイベントに応答して、または、あらかじめ規定された間隔で、デスティネーションエンティティ６は、データ要求を送信する。
【００４７】
本発明のこの動作実施例は、デスティネーションエンティティ６に、データの受信に対する制御手段を提供し、データの受信に関するエンドユーザ２へのデスティネーションエンティティの依存性の一部を除去する。
【００４８】
さらに、本発明のこの実施例は、図１の単一のデスティネーションエンティティの通信システムに関して説明したが、上記の説明から直ちに認識されるように、この実施例は、図４の複数のデスティネーションエンティティの通信システムにも適用可能である。
【００４９】
本発明について説明したほとんどの実施例はワイヤレス移動通信システムに関するものであるが、上記の説明から当業者には認識されるように、本発明は、有線移動通信システムにも適用される。
【００５０】
【発明の効果】
以上述べたごとく、本発明によれば、エンドユーザが、トラフィックチャネルを要求し設定する長いプロセスを通じて利用可能であるよりも効率的にデータを送信することが可能となる。
【図面の簡単な説明】
【図１】従来の通信システムの論理ブロック図である。
【図２】図１におけるエンドユーザのシステム実施例の論理ブロック図である。
【図３】図１におけるデスティネーションエンティティのシステム実施例の論理ブロック図である。
【図４】本発明による通信システムの実施例の論理ブロック図である。
【符号の説明】
２  エンドユーザ
４  第１通信デバイス
６  デスティネーションエンティティ
８  第２通信デバイス
１２  サービスシステム
１４  ネットワーク
１６  ホームシステム
１００  エンドユーザシステム
１０２  第１ＣＰＵ
１０４  第１ＲＯＭ
１０６  第１ＲＡＭ
１１０  処理システム
１１２  第２ＣＰＵ
１１４  第２ＲＯＭ
１１６  第２ＲＡＭ
【図１】
0004410399.tif 000002
【図２】
0004410399.tif 000003
【図３】
0004410399.tif 000004
【図４】
0004410399.tif 000005